(57)【要約】【課題】ヘッドフォン出力専用の音声増幅回路を省き、回路構成を簡素化する。【解決手段】音響機器は、直流電圧のバイアスにオーディオ信号である交流電圧が重畳されて入力されるＢＴＬ型出力増幅器10、11を具え、該増幅器10、11の一方の出力を、直流電圧遮断手段を介して、ヘッドフォン出力用ジャック2に接続している。【選択図】  図１
2005269291.tif 000002
【特許請求の範囲】
【請求項１】
直流電圧のバイアスにオーディオ信号である交流電圧が重畳されて入力されるＢＴＬ型出力増幅器(10)(11)を具え、該増幅器(10)(11)の一方の出力を、直流電圧遮断手段を介して、ヘッドフォン出力用ジャック(２)に接続したことを特徴とする音響機器。
【請求項２】
直流電圧のバイアスにオーディオ信号である交流電圧が重畳されて入力されるＢＴＬ型出力増幅器(10)(11)を具え、該増幅器(10)(11)の一方の出力を、直流電圧遮断手段を介して、イヤフォン出力用ジャックに接続したことを特徴とする音響機器。
【請求項３】
直流電圧遮断手段は、コンデンサ(５)である請求項１又は２に記載の音響機器。
【発明の詳細な説明】
【技術分野】
【０００１】
本発明は、スピーカとヘッドフォン出力ジャックを具えた音響機器に関する。
【背景技術】
【０００２】
音声増幅器には、音声出力形式によって、ＳＥ(single end)型とＢＴＬ(bridged transformerless)型に分類でき、ともに直流電圧のバイアスにオーディオ信号である交流電圧が重畳されて入力される。周知の如く、バイアスはオーディオ信号に比して高電圧である。
ＳＥ型とは、図３に示すように、増幅器(10)の出力をスピーカ(３)の正極に接続し、スピーカ(３)の負極を接地する構成である(例えば、特許文献１参照)。一方、ＢＴＬ型とは、図４に示すように、２つの増幅器(10)(11)のうち、一方の入力を正転、他方の入力を反転させ、夫々の出力をスピーカ(３)に入力する構成である。スピーカ(３)には正相と逆相の信号が入力され、電圧の振幅が２倍となり、理想的には出力電力は４倍となるから、特性はＳＥ型よりも向上する。このようなＢＴＬ型の音声増幅器は、電源電圧が約１２Ｖ程度に限定されているカーオーディオ等に、多く採用されている。
【０００３】
斯種音響機器には、ヘッドフォン用のジャックを具えたものが多い。しかし、図６に示すように、このヘッドフォン用の出力回路をＢＴＬ型にてＳＥ型と同様に構成すると、ＢＴＬ出力に直流電圧のバイアスがあるため、ヘッドフォン用のジャック(２)に該直流電圧が伝わる。このため、使用者がプラグ(４)をジャック(２)に挿入する際に、感電する虞れがある。この危険を回避すべく、図５に示す如く、ＢＴＬ型音声増幅器はスピーカ(３)出力専用に用い、ヘッドフォン出力は別途に音声増幅回路(６)を設けて出力していた。
【特許文献１】特開平９−１０７２５６号公報
【発明の開示】
【発明が解決しようとする課題】
【０００４】
図５に示す構成では、ヘッドフォン出力用の音声増幅回路(６)が必要となるから、該音声増幅回路(６)を搭載する回路基板(図示せず)が大型化する。また、ヘッドフォン出力用の音声増幅回路(６)が必要であるから、コスト上昇及び音響機器の部品点数増加を招来する。
本発明の目的は、ヘッドフォン出力専用の音声増幅回路を省き、回路構成を簡素化することにある。
【課題を解決するための手段】
【０００５】
音響機器は、直流電圧のバイアスにオーディオ信号である交流電圧が重畳されて入力されるＢＴＬ型出力増幅器(10)(11)を具え、該増幅器(10)(11)の一方の出力を、直流電圧遮断手段を介して、ヘッドフォン出力用ジャック(２)に接続している。
【発明の効果】
【０００６】
増幅器(10)(11)の出力は、直流電圧遮断手段、具体的にはコンデンサにより、直流電圧であるバイアスが遮断されて、ヘッドフォン出力用ジャック(２)に伝わる。従って、ヘッドフォン出力用ジャック(２)には弱電圧であるオーディオ信号のみが伝達され、使用者がプラグ(４)をヘッドフォン出力用ジャック(２)に挿入する際に、感電する虞れはない。これにより、従来必要であったヘッドフォン出力専用の音声増幅回路(６)を省くことができ、回路構成を簡素化することができる。また、コスト上昇及び音響機器の部品点数増加を抑えることができる。
【発明を実施するための最良の形態】
【０００７】
以下、本発明の一例を図を用いて説明する。
図１は、本例の音響機器の回路構成を示すブロック図であり、図示の便宜上、Ｌｃｈの接続構成のみ示すが、ＲｃｈもＬｃｈと同様の回路構成となる。
音響機器は、ＬｃｈとＲｃｈの信号を増幅する増幅回路(１)と、ヘッドフォン用のプラグ(４)が嵌まるヘッドフォン用ジャック(２)と、スピーカ(３)を具える。Ｌｃｈ、Ｒｃｈの各信号は、直流電圧のバイアスにオーディオ信号である交流電圧が重畳された信号であり、上記ＢＴＬ型出力増幅器(10)(11)により、電圧の振幅が入力信号の２倍となって増幅回路(１)から出力される。
ヘッドフォン用ジャック(２)は、プラグ(４)が挿入される際に、該プラグ(４)に押されてプラグ(４)から離れる向きに撓み変形する第１接片(20)と、撓み変形せずに該プラグ(４)に電気的に接する第２接片(21)を具える。
Ｌｃｈの反転信号は、そのままスピーカ(３)に供給される。Ｌｃｈの正転信号は、接点Ａにて、ジャック(２)の第１接片(20)を介してスピーカ(３)に供給される。ジャック(２)の第２接片(21)には、Ｌｃｈの正転信号がコンデンサ(５)を介して供給される。
【０００８】
図２に示すように、使用者がジャック(２)の第１、第２接片(20)(21)間に、ヘッドフォン用のプラグ(４)を挿入すると、第１接片(20)がプラグ(４)の先端部に押されて、一点鎖線で示すように、プラグ(４)から離れる向きに撓む。第１接片(20)は接点Ａから離れ、スピーカ(３)への信号供給が遮断される。スピーカ(３)からの音声出力は止まり、第２接片(21)にはＬｃｈの正転信号が供給されているから、該正転信号はプラグ(４)に流れ、使用者はヘッドフォン(図示せず)のみにて音声を聞くことができる。
【０００９】
この場合、Ｌｃｈの正転信号は、コンデンサ(５)を介して供給されているから、バイアスである直流電圧が遮断され、弱電圧であるオーディオ信号のみがプラグ(４)に伝わる。従って、使用者がプラグ(４)をヘッドフォン出力用ジャック(２)に挿入する際に、感電する虞れはない。これにより、従来必要であったヘッドフォン出力専用の音声増幅回路(６)を省くことができ、回路構成を簡素化することができる。また、コスト上昇及び音響機器の部品点数増加を抑えることができる。
【００１０】
出願人は、音響機器としてテレビジョン受像機を想定している。しかし、上記構成はカーオーディオ機器、ＣＤ付きカセットレコーダーのような他の音響機器にも適用可能なのは、言うまでもない。
また、ヘッドフォン出力用ジャック(２)をイヤフォン出力用ジャックに代えてもよい。この場合、Ｌｃｈ、Ｒｃｈの何れか一方の信号をイヤフォン出力用ジャックに伝えればよい。
【００１１】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【００１２】
【図１】本例の音響機器の回路構成を示すブロック図である。
【図２】ジャックに、プラグを挿入する動作を示す図である。
【図３】ＳＥ型の音声増幅器を示す図である。
【図４】ＢＴＬ型の音声増幅器を示す図である。
【図５】従来の音響機器のブロック図である。
【図６】従来のヘッドフォン用の出力回路をＢＴＬ型にてＳＥ型と同様に構成した場合のブロック図である。
【符号の説明】
【００１３】
(２)  ジャック
(３)  スピーカ
(４)  プラグ
(５)  コンデンサ
(10)  ＢＴＬ型出力増幅器
(11)  ＢＴＬ型出力増幅器
【図１】
2005269291.tif 000003
【図２】
2005269291.tif 000004
【図３】
2005269291.tif 000005
【図４】
2005269291.tif 000006
【図５】
2005269291.tif 000007
【図６】
2005269291.tif 000008